(57)【要約】  【課題】使用時のがたつきの発生を少なくすることができるブラシロールを提供する。【解決手段】筒状ロールの外周面に、その軸方向と並列状に、多数本のチャンネルブラシ１を着脱自在に取付けたブラシロールにおいて、前記チャンネルブラシ１は、ブラシ片２と帯状体３と芯線８とを有するか或いはブラシ片２と帯状体３とを有し、前記ブラシ片２を上面から視た場合に、前記ブラシ片２の幅の広い部分と幅の狭い部分が交互に形成されてある。【選択図】図１
2008132214.tif 000002
【特許請求の範囲】
【請求項１】
筒状ロールの外周面に、その軸方向と並列状に、多数本のチャンネルブラシを着脱自在に取付けたブラシロールにおいて、前記チャンネルブラシは、ブラシ片と帯状体と芯線とを有するか或いはブラシ片と帯状体とを有し、前記ブラシ片を上面から視た場合に、前記ブラシ片の幅の広い部分と幅の狭い部分が交互に形成されてあることを特徴とするブラシロール。
【請求項２】
筒状ロールの外周面に、その軸方向と並列状に、多数本のチャンネルブラシを着脱自在に取付けたブラシロールにおいて、前記チャンネルブラシは、ブラシ片と帯状体と芯線とを有するか或いはブラシ片と帯状体とを有し、前記ブラシ片を上面から視た場合に、前記ブラシ片は、蛇行している形状に形成されてあることを特徴とするブラシロール。
【請求項３】
筒状ロールの外周面に、その軸方向と並列状に、多数本のチャンネルブラシを着脱自在に取付けたブラシロールにおいて、前記チャンネルブラシは、ブラシ片と帯状体と芯線とを有するか或いはブラシ片と帯状体とを有し、前記ブラシ片を上面から視た場合に、一方の側面側が直線で、他方の側面側が前記ブラシ片の幅の広い部分と幅の狭い部分とが交互に形成されてあるようにしたことを特徴とするブラシロール。
【請求項４】
筒状ロールの外周面に、その軸方向と並列状に、多数本のチャンネルブラシを着脱自在に取付けたブラシロールにおいて、前記チャンネルブラシは、ブラシ片と帯状体と芯線とを有するか或いはブラシ片と帯状体とを有し、前記ブラシ片を上面から視た場合に、請求項１〜３のいずれか１項に記載のチャンネルブラシを前記チャンネルブラシの側面側の形状に沿うよう互いに嵌め込んだことを特徴とするブラシロール。
【請求項５】
チャンネルブラシは、並列させた複数のチャンネルブラシの帯状体同士を取付部材を介して一体的に複数連結させることにより、複数ブラシユニットとして用いることを特徴とする請求項１〜４のいずれか１項に記載のブラシロール。
【発明の詳細な説明】
【技術分野】
【０００１】
本発明は、ロール軸の外周面に、多数本のチャンネルブラシを、軸方向に着脱自在に取付けたブラシロールに関するものである。
【背景技術】
【０００２】
従来より、鋼板やアルミ板等の研磨仕上げに使用されるブラシロールには、ロール軸外周面への毛材の植設方法が相異する幾つかの形式のものがある。そのうちでも、長尺のチャンネルブラシを、ロール軸の外周面に螺旋状に密接状態に巻付けた形式のものが広く使われている（特許文献１）。このチャンネルブラシは金属製で横断面コ字形をした直線状の長尺のチャンネルをベース部材とし、芯線を押し付けてＵ字形に２つ折りした毛材を、チャンネルの溝内の全長に亘って嵌め込んだ構造のものである（特許文献２）。
【０００３】
【特許文献１】特開平８−２１４９４６号公報
【特許文献２】特開２０００−２４５５３１号公報
【発明の開示】
【発明が解決しようとする課題】
【０００４】
上記従来のブラシロールでは、複数のチャンネルブラシを螺旋状にロール軸に巻き付けると、隣り合うチャンネルブラシ間に隙間が発生し、この隙間は毛材の先端に行くほど大きくなるため、ブラシロールを鋼板等に当接して回転させた時にがたつきが発生していた。
【０００５】
本発明は上記点に鑑み、がたつきの発生を少なくすることができるブラシロールを提供することを目的とする。
【課題を解決するための手段】
【０００６】
請求項１の発明では、筒状ロールの外周面に、その軸方向と並列状に、多数本のチャンネルブラシを着脱自在に取付けたブラシロールにおいて、前記チャンネルブラシは、ブラシ片と帯状体と芯線とを有するか或いはブラシ片と帯状体とを有し、前記ブラシ片を上面から視た場合に、前記ブラシ片の幅の広い部分と幅の狭い部分が交互に形成されてあることに特徴を有する。したがって、ブラシ片の幅の狭い部分に隣り合うブラシ片の幅の広い部分を密着させることができるので、隣り合うチャンネルブラシ間の隙間が小さくなり、ブラシロールを使用した場合のがたつきの発生を少なくすることができる。また、帯状体の側面の高さを周期的に変化するように形成する事により、ブラシ片をブラシロールの回転中心にたいして、回転方向側及び回転方向と逆方向側に所定の角度を有して概扇状に形成されてある。その為、ブラシロールの回転時においては、被洗浄面にたいして回転方向側に所定の角度を有するブラシ片が、例えば、スコップで土砂をこそぎ取るが如く、当接して、被洗浄面上の異物、汚れ等を掻き出して除去すると共に、被洗浄面にたいして回転方向と逆方向側に所定の角度を有するブラシ片が、例えば布地で汚れを拭き取るが如く当接して、被洗浄面上の細かい塵挨等も除去して研磨することができる。
【０００７】
請求項２の発明では、筒状ロールの外周面に、その軸方向と並列状に、多数本のチャンネルブラシを着脱自在に取付けたブラシロールにおいて、前記チャンネルブラシは、ブラシ片と帯状体と芯線とを有するか或いはブラシ片と帯状体とを有し、前記ブラシ片を上面から視た場合に、前記ブラシ片は、蛇行している形状に形成されてあることに特徴を有する。したがって、ブラシ片の蛇行した形状に沿って隣り合うブラシ片を配置することができるので、隣り合うチャンネルブラシ間の隙間が小さくなり、ブラシロールを使用した場合のがたつきの発生を少なくすることができる。
【０００８】
請求項３の発明では、筒状ロールの外周面に、その軸方向と並列状に、多数本のチャンネルブラシを着脱自在に取付けたブラシロールにおいて、前記チャンネルブラシは、ブラシ片と帯状体と芯線とを有するか或いはブラシ片と帯状体とを有し、前記ブラシ片を上面から視た場合に、一方の側面側が直線で、他方の側面側が前記ブラシ片の幅の広い部分と幅の狭い部分とが交互に形成されてあるようにしたことに特徴を有する。したがって、隣り合うブラシ片同士を、側面が直線同士と、幅の広い部分と幅の狭い部分とが交互に形成された側同士とが向き合うように配置することができるので、隣り合うチャンネルブラシ間の隙間が小さくなり、ブラシロールを使用した場合のがたつきの発生を少なくすることができる。
【０００９】
請求項４の発明では、筒状ロールの外周面に、その軸方向と並列状に、多数本のチャンネルブラシを着脱自在に取付けたブラシロールにおいて、前記チャンネルブラシは、ブラシ片と帯状体と芯線とを有するか或いはブラシ片と帯状体とを有し、前記ブラシ片を上面から視た場合に、請求項１〜３のいずれか１項に記載のチャンネルブラシ該記チャンネルブラシの側面側の形状に沿うよう互いに嵌め込んだことに特徴を有する。したがって、チャンネルブラシを互いに嵌め込むことによって、隣り合うチャンネルブラシ間の隙間が小さくなり、ブラシロールを使用した場合のがたつきの発生を少なくすることができる。
【００１０】
請求項５の発明では、請求項１〜４のいずれか１項に記載のブラシロールにおいて、チャンネルブラシは、並列させた複数のチャンネルブラシの帯状体同士を取付部材を介して一体的に複数連結させることにより、複数ブラシユニットとして用いることに特徴を有する。したがって、複数ブラシユニットにしておくことによって、筒状ロールの外周面への取付け及び取外しを容易に行うことができる。
【発明の効果】
【００１１】
請求項１〜４の発明では、ブラシ片の形状を工夫することによって、隣り合うチャンネルブラシ間の隙間が小さくなり、ブラシロールを使用した場合のがたつきの発生を少なくすることができる。また、被洗浄面の汚れ等を掻き出して除去すると共に、研磨することができる。また、請求項５の発明では、複数ブラシユニットを用いることによって、傷んだチャンネルブラシの取替えを容易に行うことができる。
【発明を実施するための最良の形態】
【００１２】
次に、本発明の実施形態を図面に基づいて説明する。図１は本発明のブラシロールに使用するチャンネルブラシの第１実施形態を示す斜視図である。チャンネルブラシ１はブラシ片２、帯状体３及び芯線８より形成されてある。チャンネルブラシ１は、ブラシ片２を中央部から折り込んで、芯線８及び帯状体３にて、挟み付けるようにして形成されてあり、帯状体３は、断面が概コの字状に形成されてある。また、帯状体３の側面９、１０は、側面の高さが周期的に変化するように形成されてある。
【００１３】
図２はチャンネルブラシ１に使用する帯状体３の正面図である。側面９には、高さ１６の谷部２４及び高さ１７の山部２５が、高さ１６から高さ１７の間を周期的に変化するように形成されてある。側面１０には、高さ１６の谷部１４及び高さ１７の山部１５が高さ１６から高さ１７の間を周期的に変化するように形成されてある。また、側面９及び１０は、谷部２４と山部１５及び山部２５と谷部１４が、帯状体３の長手方向において同位置になるように形成されてある。帯状体３の材質には、鋼板或いはアルミ板が使用されてある。
【００１４】
図３はチャンネルブラシ１のブラシ片２の平面図である。ブラシ片２は、帯状体３の長手方向において、谷部２４と山部１５が形成されてある位置に挟み付けられてある場合には、端部４４と端部３５が形成される。また、山部２５と谷部１４が形成されてある位置にて挟み付けられてある場合には、端部４５と端部３４が形成される。図２で示したように、帯状体３は、長手方向において、谷部２４と山部１５及び山部２５と谷部１４が、同位置になるように形成されてあると共に、山部２５と谷部２４及び山部１５と谷部１４が、高さ１６から高さ１７の間を周期的に変化するように形成されてある為、ブラシ片２は、長手方向において、端部４４と端部３５及び端部４５と端部３４が、同位置になるように形成されると共に、端部４５と端部４４及び端部３５と端部３４の間を周期的に変化するように形成される。したがって、ブラシ片を上面から視た場合に、蛇行した波型となるように形成される。
【００１５】
図４は、チャンネルブラシ１の製作状態を示す斜視図である。ここで、１９は縦ロール、２０は基台、２９は横ロールである。まず、断面が概コの字形状の長尺な帯状体３に対して、所定長さのブラシ片２の中央部が直交するように、帯状体３の上部に設置し、縦ロール１９を使用して、芯線８にてブラシ片２を挟み付けると共に、芯線８を帯状体３の概コの字形状の内部に押し込む。次に、帯状体３の両側に形成された横ロール２９を使用して、帯状体３を両側から加締める。その結果、中央部が帯状体３と芯線８に挟み付けられて折り込まれたブラシ片２を有するチャンネルブラシ１が形成される。
【００１６】
図５は、ブラシ片の形成状態を示す平面図である。この図に示すように、ブラシ片２の端部４４、４５が隣接するブラシ片２の端部３５、３４と、長手方向において、同位置に形成されてある。即ち、側面側の形状に沿うようチャンネルブラシを互いに嵌め込んだ状態である。その為、ブラシ片２の形成状態における密度は均一に形成されてあるので、隣り合うチャンネルブラシ間の隙間が小さくなり、ブラシロールを使用した場合のがたつきの発生を少なくすることができるのである。また、ブラシ片２は、蛇行した波型に形成されてある為、ブラシロールの回転中心にたいして、回転方向側及び回転方向と逆方向側に所定の角度を有して概扇状に形成されてある。その為、ブラシロールの回転時においては、被洗浄面にたいして回転方向側に所定の角度を有するブラシ片２が、例えば、スコップで土砂をこそぎ取るが如く、当接して、被洗浄面上の異物、汚れ等を掻き出して除去すると共に、被洗浄面にたいして回転方向と逆方向側に所定の角度を有するブラシ片２が、例えば布地で汚れを拭き取るが如く当接して、被洗浄面上の細かい塵挨等も除去して研磨することができる。
【００１７】
図６は、第２実施形態のチャンネルブラシのブラシ片２ａを示す平面図である。このブラシ片２ａは、図２で示した帯状体３の側面９及び１０の谷部２４と谷部１４及び山部２５と山部１５が、帯状体３の長手方向において同位置になるように形成することによって、作成できる。したがって、ブラシ片２ａは、長手方向において、端部４４ａと端部３４ａ及び端部４５ａと端部３５ａが、同位置になるように形成されると共に、端部４５ａと端部４４ａ及び端部３５ａと端部３４ａの間を周期的に変化するように形成される。即ち、ブラシ片を上面から視た場合に、幅の狭い密の部分と幅の広い疎の部分が交互に形成される。上記形状とすることによって、ブラシ片の幅の狭い部分に隣り合うブラシ片の幅の広い部分を密着させることができるので、隣り合うチャンネルブラシ間の隙間が小さくなり、ブラシロールを使用した場合のがたつきの発生を少なくすることができるのである。
【００１８】
図７は、第３実施形態のチャンネルブラシのブラシ片２ｂを示す平面図である。このブラシ片２ｂは、図２で示した帯状体３の一方の側面側を直線とすることによって、作成できる。したがって、ブラシ片２ｂは、長手方向において、端部３５ｂと端部３４ｂとの間を周期的に変化するように形成される。即ち、ブラシ片を上面から視た場合に、一方の側面側が直線で、他方の側面側が密の部分と疎の部分が交互に現れて波型となるように形成される。
【００１９】
図８は、本発明のブラシロールの端面図であり、図９はブラシロールの縦断面図であり、図１０（ａ）は、二連ブラシユニットの正面図、図１０（ｂ）は、側面図である。ブラシロール１００は、筒状ロール１０１の外周面に、多数本の二連ブラシユニット５０を、並列状に密接状態で、且つ、ロール軸に対して約７度傾けた状態で、着脱自在に螺止した構成を備えている。二連ブラシユニット５０は、ブラシ片２、２をコ字状の帯状体３、３で挟んでなる２本のチャンネルブラシ１、１を、取付金具５によって並列状に合体させた形態を備えている。尚、ブラシロール１００の回転軸１０２は、筒状ロール１０１の両端に各々取付けられる端面盤１０３に組付けている。二連ブラシユニット５０を用いることによって、筒状ロール１０１の外周面への多数本のチャンネルブラシの着脱は、作業能率を向上させることができる。尚、二連ブラシユニット５０は三連以上の複数本を結合したものでも適用可能である。
【００２０】
尚、本発明の趣旨を逸脱しない範囲において、種々の実施形態をとることができることは言うまでもない。
【産業上の利用可能性】
【００２１】
本発明のブラシロールは、筒状ロールの外周面にチャンネルブラシを着脱自在に取付けたものであって、鋼板やアルミ板等の研磨仕上げに使用する。
【図面の簡単な説明】
【００２２】
【図１】本発明のブラシロールに使用するチャンネルブラシの第１実施形態を示す斜視図である。
【図２】チャンネルブラシに使用する帯状体の正面図である。
【図３】チャンネルブラシのブラシ片の平面図である。
【図４】チャンネルブラシの製作状態を示す斜視図である。
【図５】ブラシ片の形成状態を示す平面図である。
【図６】第２実施形態のチャンネルブラシのブラシ片を示す平面図である。
【図７】第３実施形態のチャンネルブラシのブラシ片を示す平面図である。
【図８】本発明のブラシロールの端面図である。
【図９】本発明のブラシロールの縦断面図である。
【図１０】（ａ）二連ブラシユニットの正面図、（ｂ）二連ブラシユニットの側面図である。
【符号の説明】
【００２３】
１  チャンネルブラシ
２、２ａ、２ｂ  ブラシ片
３  帯状体
９、１０  側面
５０  二連チャンネルブラシユニット
１００  ブラシロール
１０１  筒状ロール
１０２  回転軸
１０３  端面盤
【図１】
2008132214.tif 000003
【図２】
2008132214.tif 000004
【図３】
2008132214.tif 000005
【図４】
2008132214.tif 000006
【図５】
2008132214.tif 000007
【図６】
2008132214.tif 000008
【図７】
2008132214.tif 000009
【図８】
2008132214.tif 000010
【図９】
2008132214.tif 000011
【図１０】
2008132214.tif 000012